(57)【要約】【課題】オーバーフロー樋を改良し易い構造にする。【解決手段】建物Ｈの軒先を構成する軒樋１０と軒天井４０との間に設けられるオーバーフロー樋２００が、軒天井４０に取付けられる下部縦管２２０を備えている。そして、下部縦管２２０は、軒樋１０に取付けられる上部縦管２１０を差込み可能なソケット本体２５２を有することでオーバーフロー樋用ソケット２５１を構成している。  下部縦管２２０は、下部に角部２５３，２５４を有しても良い。  下部縦管２２０は、上部に切欠部２５６を有しても良い。  下部縦管２２０は、内部に仕切部２５８を有しても良い。【選択図】図８Ａ
2020045679.tif 000002
【特許請求の範囲】
【請求項１】
建物の軒先を構成する軒樋と軒天井との間に設けられるオーバーフロー樋が、前記軒天井に取付けられる下部縦管を備え、該下部縦管は、前記軒樋に取付けられる上部縦管を差込み可能なソケット本体を有していることを特徴とするオーバーフロー樋用ソケット。
【請求項２】
請求項１に記載のオーバーフロー樋用ソケットにおいて、
前記下部縦管は、下部に角部を有することを特徴とするオーバーフロー樋用ソケット。
【請求項３】
請求項１または請求項２に記載のオーバーフロー樋用ソケットにおいて、
前記下部縦管は、上部に切欠部を有することを特徴とするオーバーフロー樋用ソケット。
【請求項４】
請求項１ないし請求項３のいずれか１項に記載のオーバーフロー樋用ソケットにおいて、
前記下部縦管は、内部に仕切部を有することを特徴とするオーバーフロー樋用ソケット。
【請求項５】
建物の軒先に沿って取付けられた軒樋と、
前記軒樋の下方に位置して前記軒先の裏側を構成する軒天井と、を備えた軒樋構造であって、
前記軒樋と前記軒天井との間に請求項１ないし請求項４のいずれか１項に記載のオーバーフロー樋が設けられ、
該オーバーフロー樋は、前記軒樋の底面よりも上方位置に落し口を有し、前記軒天井の下面に排水口を有していることを特徴とする軒樋構造。
【請求項６】
請求項５に記載の軒樋構造において、
前記オーバーフロー樋は、前記軒樋に取付けられた上部縦管と、前記軒天井に取付けられた下部縦管とを有し、
前記下部縦管の上端部は、前記上部縦管の下端部よりも大径に形成され、
前記上部縦管の下端部が、前記下部縦管の上端部に挿入されていることを特徴とする軒樋構造。
【請求項７】
請求項６に記載の軒樋構造において、
前記下部縦管は前記排水口を有するドレン部材に接続されて前記軒天井に固定されていることを特徴とする軒樋構造。
【請求項８】
請求項５〜請求項７のいずれか１項に記載の軒樋構造において
前記オーバーフロー樋は、前記軒樋の水上側の位置に設けられていることを特徴とする軒樋構造。
【請求項９】
請求項５〜請求項８のいずれか１項に記載の軒樋構造において、
前記オーバーフロー樋の上部に、前記落し口の上方を覆い、かつ、前記オーバーフロー樋との間に、前記落し口への流路を形成する蓋部材が設けられていることを特徴とする軒樋構造。
【請求項１０】
請求項５〜請求項９のいずれか１項に記載の軒樋構造を備えたことを特徴とする建物。
【発明の詳細な説明】
【技術分野】
【０００１】
本発明は、オーバーフロー樋用ソケット、軒樋構造、および、建物に関する。
【背景技術】
【０００２】
大雨などの際に軒樋から水が溢れ出る（オーバーフローが生じる）のを防止するための軒樋構造が提案されている（例えば、特許文献１参照）。
この特許文献１に記載の軒樋構造では、建物の軒先に設けられた軒樋に加えて、建物の各階間の境目に位置するように外周パイプが設けられており、更に、軒樋と外周パイプとを連通する複数の上竪樋や、外周パイプから垂下された下竪樋が設けられている。
この軒樋構造によれば、外周パイプおよび上竪樋によって一時的に保水ができるようにすることで、軒樋からのオーバーフローを抑制させている。
【先行技術文献】
【特許文献】
【０００３】
【特許文献１】特開２００９−１０８５１８号公報
【発明の概要】
【発明が解決しようとする課題】
【０００４】
しかし、特許文献１の軒樋構造では、外周パイプおよび上竪樋の保水能力を越えた場合や、上竪樋の開口部分が詰まって排水能力が低下した場合などに、上竪樋からのオーバーフローが生じ易くなる。
【０００５】
そこで、オーバーフローをより生じ難くできる構造として、オーバーフロー樋の開発が進められているが、オーバーフロー樋には、まだ改良の余地がある。
【０００６】
本開示は、上記課題に着目したもので、オーバーフロー樋を改良し易くするためのオーバーフロー樋用ソケット、軒樋構造、および、建物を提供することを目的とする。
【課題を解決するための手段】
【０００７】
本開示のオーバーフロー樋用ソケットは、建物の軒先を構成する軒樋と軒天井との間に設けられるオーバーフロー樋が、前記軒天井に取付けられる下部縦管を備え、該下部縦管は、前記軒樋に取付けられる上部縦管を差込み可能なソケット本体を有していることを特徴とする。また、上記オーバーフロー樋用ソケットを用いた軒樋構造および建物を特徴とする。
【発明の効果】
【０００８】
本開示によれば、上記構成により、オーバーフロー樋を改良し易い構造にすることなどができる。
【図面の簡単な説明】
【０００９】
【図１】実施例にかかる軒樋構造を適用した建物Ｈの軒先部分の拡大断面図である。
【図２】実施例の軒樋構造の要部を示す図であり、図１の矢印Ｙ２方向から見た状態を示す矢視図である。
【図３】実施例の軒樋構造を適用した建物Ｈの軒先部分の概略を示す平面図である。
【図４】実施例の軒樋構造の主要部を示す断面図である。
【図５】実施例の軒樋構造の主要部を示す斜視図である。
【図６Ａ】実施例の軒樋構造におけるオーバーフロー樋２００の上部縦管２１０の集水部２１２を示す斜視図である。
【図６Ｂ】実施例の軒樋構造におけるオーバーフロー樋２００の上部縦管２１０の排水部２１１を示す斜視図である。
【図７Ａ】実施例の軒樋構造におけるオーバーフロー樋２００の下部縦管２２０を示す側面図である。
【図７Ｂ】実施例の軒樋構造におけるオーバーフロー樋２００のドレン部材２３０を示す斜視図である。
【図８Ａ】オーバーフロー樋用ソケット２５１を有する下部縦管２２０の斜視図である。
【図８Ｂ】オーバーフロー樋用ソケット２５１を有する下部縦管２２０の平面図である。
【図８Ｃ】オーバーフロー樋用ソケット２５１を有する下部縦管２２０を軒先側から見た側面図である。
【図８Ｄ】オーバーフロー樋用ソケット２５１を有する下部縦管２２０の縦断面図である。
【発明を実施するための形態】
【００１０】
以下、本開示にかかるオーバーフロー樋用ソケット、軒樋構造、建物の実施例について説明する。
【実施例】
【００１１】
（実施例の構成）
オーバーフロー樋用ソケット、軒樋構造Ａ、および、この軒樋構造Ａを備えた建物Ｈについて、図面を用いて詳細に説明する。図１〜図８Ｄは、この実施例を説明するためのものである。
【００１２】
＜建物＞
図１は、建物Ｈの軒先部分の拡大断面図である。
この建物Ｈは、屋根Ｌの軒先、即ち、屋根Ｌの水下側となる縁部に軒樋１０を備えている。
ここで、先ず、建物Ｈの構成について説明する。
建物Ｈは、建物全般とすることができ、どのようなものとしても良いが、ユニット建物とするのが好ましい。
このユニット建物は、予め工場で製造した建物ユニット２０を建築現場へ運んで、建築現場で組み立てることによって、短期間のうちに建物Ｈを構築し得るようにしたものである。ユニット建物には、鉄骨系のものと、木質系のものとが存在しており、どちらでも良いが、ここでは鉄骨系のユニット建物としている。
【００１３】
なお、建物ユニット２０は、４本の柱（不図示）の上端部を４本の天井梁２１で矩形状に連結すると共に、４本の柱（不図示）の下端部間を４本の床梁（不図示）で矩形状に連結して成るボックスラーメン構造のユニットフレーム（不図示）を有している。また、ユニットフレームの外側には、壁面を構成する外壁材２２が取付けられている。
【００１４】
図１に示す建物ユニット２０は、建物Ｈの最上階に位置するものであり、天井梁２１の上部には、屋根Ｌを形成する屋根材２４（図２）が、取付具２３を介して取付けられている。
【００１５】
ユニット建物である建物Ｈは、戸建住宅や集合住宅などの各種建物を形成することができるが、ここでは集合住宅を一例として示す。
図３の平面図は、建物Ｈの最上階部分における建物ユニット２０の配置を示しており、（集合住宅の）エントランススペースＥを形成する建物ユニット２０（ｅ）の両側に、第１の住居スペースＳ１を形成する建物ユニット２０（１）と、第２の住居スペースＳ２を形成する建物ユニット２０（２）とが設けられている。図１は、これらの建物ユニット２０（ｅ）、２０（１）、２０（２）の上に設置された屋根Ｌの軒先部分を示している。なお、図３において矢印ＷＬは、屋根Ｌにおける水下の方向を示している。
【００１６】
即ち、前述の屋根材２４は、軒先に向かって下がるように傾斜されており、図１では左方向が水下となるように傾斜されている。そして、屋根材２４の先端は、建物ユニット２０よりも水下方向へ張り出すことで庇が形成されている。また、本実施例では、屋根材２４として図２に示すような波形状の折版が用いられている。
【００１７】
建物ユニット２０の水下側となる天井梁２１の側面には、庇アーム２５が、建物Ｈの外方、即ち、外壁材２２の上端部の位置から面直方向へ突出するように取付けられている。なお、庇アーム２５は、天井梁２１の延在方向に間隔を有して複数本取付けられている。
【００１８】
そして、庇アーム２５の上面には、樋受金具２５ａを用いて軒樋１０が設置されている。樋受金具２５ａは、軒樋１０の外側を囲むＵ字状に形成され、庇アーム２５にビスなどの固定部材により固定されている。
【００１９】
また、屋根Ｌの庇部分や軒樋１０は、外側部をパラペット３０などの軒樋カバーによって水平方向に覆われている。
パラペット３０は、庇アーム２５の先端部に取付けられた板状のパラペット補強材３１などの取付金具によって支持固定されている。そして、パラペット３０は、パラペット補強材３１にネジなどの固定部材によってそれぞれ固定された上部部材３０ａ、中間部材３０ｂ、下部部材３０ｃの３つの部材で形成されている。但し、パラペット３０の構成は、上記に限るものではない。
【００２０】
更に、軒先の裏側となる部分、即ち、パラペット３０の下部と、建物ユニット２０の外壁材２２との間の空間には、軒天井４０が設けられて、軒樋１０や庇アーム２５を下方から覆い隠している。
軒天井４０は、例えば、岩綿保温板（ロックウール）などの断熱材を下側から覆うように設置された塩ビ鋼板などの軒天井パネルで主に構成されている。軒天井４０は、断熱材の下面に沿った平板状のものとしても良いし、更に、断熱材の側面に沿って上方に立ち上がる立上部４０ａなどを有しても良い（図８Ｂ）。軒天井４０は、庇アーム２５の下面にビス止めされた一対の軒天受材４１，４１に直接またはブラケット４１ｂ，４１ｂなどを介して支持固定されている。なお、軒天井４０は、上記に限るものではなく、例えば、塩化ビニルなどの樹脂製の板や、木製の板などを使用することができる。
【００２１】
一方、パラペット３０の上部と屋根材２４との間には、パラペットカバー５０が設けられている。このパラペットカバー５０は、図２に示すように、波形状をした屋根材２４における、上方に凸となっている凸部２４ａと凸部２４ａとの間の凹部２４ｂの部分に立設された縦壁部５１を有している。この縦壁部５１は、屋根材２４の上を流れる水は通過させるが、枯葉などのゴミ６０は堰き止められるようにするために、屋根材２４との間に隙間が設けられたり、単数または複数の開口５１ａが設けられたりしている。
【００２２】
＜軒樋構造＞
次に、この実施例の軒樋構造Ａについて説明する。
軒樋構造Ａは、図３の概略説明図に示すように、軒樋１０と、縦樋１００と、オーバーフロー樋２００とで構成されている。なお、図３では、分かり易いように、縦樋１００の落し口の位置を三角によって表示し、オーバーフロー樋２００の落し口２１３の位置を黒丸によって表示しているが、これらの三角や黒丸は実際の形状を示すものではない。
【００２３】
先ず、軒樋１０は、屋根Ｌの軒先に沿って配置される。軒樋１０は、樹脂あるいは金属によって構成され、図４（図１）に示すように、底板１１の軒先側と軒元側とにそれぞれ立上げ部１２，１３を有する略Ｕ字断面状をしている。
そして、軒樋１０は、前述のように樋受金具２５ａによって庇アーム２５に取付けられる。
【００２４】
また、軒樋１０は、排水勾配を有して傾斜配置されている。即ち、図３に示す矢印ＤＳが、軒樋１０における傾斜の様子を示しており、排水勾配の最も低い位置（水下）には、縦樋１００が設けられている。一方、排水勾配の最も高い位置（水上）には、オーバーフロー樋２００が設けられる。
なお、縦樋１００は、周知のものであり、軒樋１０から建物Ｈの外壁に沿って地上や地面下まで延在される。また、軒樋１０は、建物ユニット２０ごとに縦樋１００とオーバーフロー樋２００とを有するものとなっているが、これに限るものではない。
【００２５】
＜オーバーフロー樋＞
次に、オーバーフロー樋２００について説明する。なお、以下の説明では、図１は常に参照する。
このオーバーフロー樋２００は、図４（図５）に示すように、軒樋１０の立上げ部１２，１３の上端よりも低く、底面（底板１１）よりも高い位置（上方位置）に、落し口２１３を有しており、また、軒天井４０（の下面側）に排水口２３４を有している。そして、オーバーフロー樋２００は、軒樋１０の水位が落し口２１３の高さ（ｈ１）を越えたときに、軒天井４０（の下面側）の排水口２３４から排水を行うようになっている。
【００２６】
オーバーフロー樋２００は、上部縦管２１０と、下部縦管２２０とを備えている。そして、下部縦管２２０にはドレン部材２３０が取付けられ、上部縦管２１０には、蓋部材２４０が取付けられている。
【００２７】
上部縦管２１０は、軒樋１０の底板１１を貫通して設けられた円形断面の管部材であり、図６Ａに示す集水部２１２と、図６Ｂに示す排水部２１１とを備える。
排水部２１１は、図６Ｂ（図４）に示すように、相対的に小径の小径管部２１１ｂ（排水管）で主に構成されている。小径管部２１１ｂの上端部には、段差部を有して相対的に大径となる大径管部２１１ａ（連結部）が一体に形成される。大径管部２１１ａは、集水部２１２に外嵌可能な大きさとされる。大径管部２１１ａの内周２１１ｃには、雌ネジ２１１ｄが形成される。そして、大径管部２１１ａの上端部の外周には、周方向に延びる環状のフランジ２１１ｆ（外フランジ）が一体に形成されている。
【００２８】
一方、集水部２１２は、図６Ａに示すように、円形断面の管状をした本体２１２ａ（集水管）で主に構成されている。この本体２１２ａの下部の外周には、周方向に延びる環状のフランジ２１２ｆ（外フランジ）が一体に形成されている。
そして、本体２１２ａの上端部の外周には、後述する蓋部材２４０の雌ネジ２４３と噛み合う上部雄ネジ２１２ｂが形成されている。本体２１２ａの下端部の外周には、排水部２１１の雌ネジ２１１ｄと噛み合う下部雄ネジ２１２ｄが形成されている。
更に、本体２１２ａの上部には、内外間を貫通する開口２１３ａが、単数、または、周方向に間隔を有して複数設けられている。これにより、軒樋１０の水位が、開口２１３ａの下端の高さである図４のｈ１の高さまで上昇したときに、軒樋１０内の水が集水部２１２へ流入する。なお、開口２１３ａは、後述するように、上下方向の寸法が、蓋部材２４０との間の水平方向の隙間２４４（図４）よりも大きくなっている。開口２１３ａは、例えば、上下寸法が１５ｍｍよりも大きく形成され、周方向の寸法は数ｃｍ程度とされている。
【００２９】
そして、上部縦管２１０は、軒樋１０の底板１１に固定される。この固定は、前述の排水部２１１の雌ネジ２１１ｄに、集水部２１２の下部雄ネジ２１２ｄをねじ込むことで行われている。
【００３０】
即ち、底板１１に形成された開口の下方に排水部２１１を配置し、底板１１の開口に上から集水部２１２の本体２１２ａの下部を挿通させて、両者を相対回転させて排水部２１１の雌ネジ２１１ｄに集水部２１２の下部雄ネジ２１２ｄをねじ込ませる。
これにより、排水部２１１と集水部２１２とが軸方向に近接動し、図４に示すように、排水部２１１のフランジ２１１ｆと集水部２１２のフランジ２１２ｆとが、底板１１を上下方向から挟み込んだ状態となるため、上部縦管２１０が軒樋１０の底板１１に固定される。そして、このように雌ネジ２１１ｄと下部雄ネジ２１２ｄとの噛み合いによって上部縦管２１０を固定しているため、底板１１に対して別の締結部材などを貫通させる必要が無く、シール性の確保が容易である。
【００３１】
そして、上述した上部縦管２１０の排水部２１１の小径管部２１１ｂは、下部縦管２２０の上部に挿入されるようになっている（図４）。
下部縦管２２０は、ドレン部材２３０と接続されることで軒天井４０に固定される。
この下部縦管２２０は、図７Ａに示すような管本体２２１（保水部）で主に構成されている。この管本体２２１の下部の外周には、周方向に延びる環状のフランジ２２２（外フランジ）が一体に形成されている。フランジ２２２よりも下方には、接続用筒部２２３が一体に延在されている。接続用筒部２２３は、管本体２２１の上部よりも小径とされている。
【００３２】
管本体２２１は、少なくとも上部が下部よりも拡径され、上述のように上部縦管２１０の排水部２１１の小径管部２１１ｂよりも大径に形成されている。
また、接続用筒部２２３の外周には、雄ネジ２２４が形成されている。
【００３３】
ドレン部材２３０は、図７Ｂに示すように、短い円管状の筒部２３１と、筒部２３１の上端の外周に一体に設けられた周方向に延びる環状のフランジ２３２（外フランジ）と、筒部２３１の下側に形成された排水口２３４とを備えている。
なお、筒部２３１の内周には、管本体２２１の接続用筒部２２３の外周に形成された雄ネジ２２４と噛み合い可能な雌ネジ２３５が形成されている。
また、排水口２３４は、排水を下方へ向かわせるための下方開口２３４ｂと、排水を中心軸に沿う方向に対して外径方向へ向かわせるための側方開口２３４ａとを、それぞれ複数有している。下方開口２３４ｂは、同心円状のリブや放射状のリブなどによって適宜仕切られている。
【００３４】
即ち、ドレン部材２３０は、オーバーフロー樋２００による排水を行った際に、側方開口２３４ａから排水することで、排水がある程度水平方向へ飛ぶようにして、排水を行っていることを報せるようにしている。
一方、下方開口２３４ｂを設けることにより、側方開口２３４ａからの流量を制限して、排水が広範囲に飛び散らないようにしている。
【００３５】
下部縦管２２０およびドレン部材２３０は、図４に示すように軒天井４０に固定されている。その固定構造も、前述の上部縦管２１０の軒樋１０への固定と同様であり、軒天井４０に設けられた開口（不図示）に、下部縦管２２０の接続用筒部２２３を上側から貫通させ、軒天井４０の下側に配置したドレン部材２３０の筒部２３１に差込む。そして、下部縦管２２０とドレン部材２３０とを相対回転させて、雄ネジ２２４を雌ネジ２３５にねじ込んで、両フランジ２２２、２３２で軒天井４０を上下方向に挟み込むことで下部縦管２２０およびドレン部材２３０を軒天井４０に固定している。
【００３６】
なお、上記したように、下部縦管２２０と上部縦管２１０とは別体とされており、管本体２２１の上部が小径管部２１１ｂよりも大径に形成されているため、両者の水平方向の固定位置にズレがあっても、半径差分のズレは許容できる。また、上部縦管２１０を下部縦管２２０へ上下方向に挿入する構造であるため、両者の軸方向の固定位置にズレがあった場合でも、その挿入量または挿入代が変化されることで上下方向のズレを吸収することができる。
【００３７】
更に、オーバーフロー樋２００の上部、即ち、上部縦管２１０の集水部２１２の上端部には、落し口２１３を覆うように蓋部材２４０が固定されている。
蓋部材２４０は、蓋板部２４１と環状壁部２４２と雌ネジ２４３とを備えている。
蓋板部２４１は、上部縦管２１０（の集水部２１２）の上方へ向いた上端開口を覆うものであり、集水部２１２の外径よりも僅かに大径の円板状に形成されている。
【００３８】
環状壁部２４２は、蓋板部２４１の外周縁部から軸方向（の下方）に延在された短管状に形成され、集水部２１２の外周との間には周方向の隙間２４４を有している。この隙間２４４は、水平方向の間隔が、数ｍｍ〜１ｃｍ程度の寸法とされている。これは、この隙間２４４よりも大きな枯葉などのゴミ６０の進入を防止するためである。
【００３９】
＜オーバーフロー樋用ソケット＞
次に、本実施例の特徴とするオーバーフロー樋用ソケット２５１について説明する。なお、以下の説明では、図１および図４は常に参照する。
このオーバーフロー樋用ソケット２５１は、図８Ａ〜図８Ｄに示すようなものであり、建物Ｈの軒先を構成する軒樋１０と軒天井４０との間に設けられるオーバーフロー樋２００の一部に用いられる。上記したように、オーバーフロー樋２００は、軒天井４０に取付けられる下部縦管２２０を備えている。そして、下部縦管２２０が、軒樋１０に取付けられる上部縦管２１０を差込み可能なソケット本体２５２を有することでオーバーフロー樋用ソケット２５１が構成される。
【００４０】
ここで、ソケットとは、器具などを差込む受口のことである。この場合、下部縦管２２０を、上部縦管２１０（の排水部２１１における小径管部２１１ｂ）を差込む受口としている。下部縦管２２０は、既に上記したように、管本体２２１の少なくとも上部が上部縦管２１０の小径管部２１１ｂよりも大径とされている。よって、管本体２２１はそのままソケット本体２５２として機能する。この実施例では、管本体２２１（ソケット本体２５２）は、その上部に径寸法がほぼ一定または上方側へ向かって僅かに拡径する受口部２２１ａを有し、その下部に下方へ向かって縮径する縮径部２２１ｂを有している。上部縦管２１０の小径管部２１１ｂは、少なくとも縮径部２２１ｂの手前側の受口部２２１ａの位置まで差込まれる。
【００４１】
そして、オーバーフロー樋用ソケット２５１とされた下部縦管２２０は、下部に角部２５３，２５４を有しても良い。角部２５３，２５４は、平面視ほぼ円形状をしたフランジ２２２の外周縁部よりも外側となる位置に形成される。角部２５３，２５４は、少なくともフランジ２２２の建物側の位置などに設けることができる。なお、角部２５３，２５４は、単数または複数設けても良く、角部２５３，２５４を複数設けた場合には、複数の角部２５３，２５４どうしをつなげてフラットな部分（フラット部２５５）を少なくとも１つ以上形成しても良い。また、複数の角部２５３，２５４どうしをつなげることでフランジ２２２を多角形状などにすることもできる。角部２５３，２５４やフラット部２５５は、周方向へ位置が動いたときに、例えば、軒天井４０の立上部４０ａや軒天受材４１やブラケット４１ｂなどの外部の部材に当たったり引っかかったりするようなものとする（図８Ｂ）。
【００４２】
また、オーバーフロー樋用ソケット２５１とされた下部縦管２２０は、上部に切欠部２５６を有しても良い。切欠部２５６は管本体２２１（ソケット本体２５２）の上縁部に設けられる。切欠部２５６には、切欠いて形成されたものや、切欠いたような形状に形成されたものなどを含むことができる。切欠部２５６の形状は問わないが、下方に凹むＵ字状やＶ字状のものなどとすることができる。切欠部２５６は軒先側の位置に設けるのが好ましい。
【００４３】
更に、オーバーフロー樋用ソケット２５１とされた下部縦管２２０は、内部に仕切部２５８を有しても良い。仕切部２５８は、管本体２２１（ソケット本体２５２）の内部に、単数または（周方向に間隔を有して）複数枚設けられる。この実施例では、仕切部２５８は、６枚となっているが、これに限るものではない。仕切部２５８は、少なくとも縮径部２２１ｂの部分に設けられる。仕切部２５８は、受口部２２１ａの部分に対して設けても良い。仕切部２５８は、管本体２２１の内周面から内側へ向け、上方から見て、小径管部２１１ｂの外周面の位置に達する長さや、外周面の位置を越える長さや、外周面の位置に達しない長さなどに形成することができる。仕切部２５８は、下部縦管２２０の中心軸の位置へ向けて延びる放射状のものとしても良いし、中心軸からズレた位置へ向けて延びる放射渦状のものなどとしても良い。仕切部２５８は、上下方向に延びる整流板としても良いし、上下方向に対し傾いた状態で延びる旋回羽根としても良い。仕切部２５８は、上下方向に対し、単段に設けても良いし、多段に設けても良い。
【００４４】
（実施例の作用）
以下に、実施例の軒樋構造Ａの作用を説明する。
建物Ｈの屋根Ｌに雨が降ると、雨は、屋根材２４の傾斜に沿って図３の矢印ＷＬの方向に流れ、軒樋１０に流れ込む。
この際、枯葉などのゴミ６０のうち、ある程度大きなものは、図２に示すように、パラペットカバー５０の縦壁部５１により堰き止められて、軒樋１０への進入が抑制される。
【００４５】
軒樋１０へ流入した雨水は、軒樋１０の傾斜に沿って、図３の矢印ＤＳに示すように水上から水下へ流れ、縦樋１００によって地面や地面下まで導かれ、最終的に下水道などへ排水される。
上述のように、相対的に大きな枯葉などのゴミ６０は、パラペットカバー５０の縦壁部５１によって軒樋１０への進入は抑制されているものの、長年の使用によって、縦樋１００の落し口（図３において△により示している箇所）に達して、落し口が塞がれる場合がある。
【００４６】
このように、縦樋１００の落し口が塞がれ、縦樋１００の排水能力が低下すると、降雨量が多い場合などに、軒樋１０の水位が上昇する。
そして、軒樋１０においてオーバーフロー樋２００が設けられている水上側の水位が、開口２１３ａの下端の高さｈ１よりも上昇すると、それ以上流入した雨水は、オーバーフロー樋２００によって軒樋１０の外に排水される。従って、軒樋１０の水位の上昇が抑制され、立上げ部１３の高さｈｔを越えて、軒天井４０にオーバーフローするのを抑制できる。なお、開口２１３ａの下端の高さｈ１は、立上げ部１３の高さｈｔのほぼ半分程度に設定されている。
【００４７】
このオーバーフロー樋２００による排水の際には、軒天井４０の部分に設けられたドレン部材２３０の排水口２３４から、即ち、軒天井４０の下面の近傍から排水される。このような軒天井４０のドレン部材２３０からの排水は、通常の状態では生じないため、住人は、軒樋１０の異常、即ち、縦樋１００の詰まりを、このドレン部材２３０からの排水によって認識することができる。
【００４８】
特に、本実施例では、オーバーフロー樋２００を、図３に示すように、エントランススペースＥの近傍に配置しているため、住居スペースＳ１、Ｓ２に出入りする住人が外出時や帰宅時に、認識し易くなっている。
【００４９】
更に、ドレン部材２３０の排水口２３４には、側方開口２３４ａを設けているため、排水の一部が水平方向にも飛散し、下方開口２３４ｂのみの場合よりも住人がオーバーフロー樋２００による排水を認識し易い。
【００５０】
この際、上述のオーバーフロー樋２００からの排水を用いて軒樋１０のオーバーフローを防止し得るようにするためには、縦樋１００の排水能力とオーバーフロー樋２００の排水能力とを合わせた排水能力は、２００ｍｍ／ｈ以上に設定するのが好ましい。
例えば、縦樋１００の排水能力が１９０ｍｍ／ｈの場合には、オーバーフロー樋２００の排水能力は、少なくとも１０ｍｍ／ｈ以上にする。なお、オーバーフロー樋２００の排水能力は５０ｍｍ／ｈ以上にするのが好ましい。即ち、５０ｍｍ／ｈの降雨量は、崖崩れなどの災害が発生するレベルであるため、オーバーフロー樋２００が５０ｍｍ／ｈ以上の排水能力を備えていれば、仮に全ての縦樋１００が詰まったとしても、通常の降雨であれば、軒樋１０のオーバーフローを防止できる。
【００５１】
（実施例の効果）
以下に、実施例のオーバーフロー樋用ソケット２５１、軒樋構造Ａおよび建物Ｈの効果を列挙する。
（１）建物Ｈの軒先を構成する軒樋１０と軒天井４０との間にオーバーフロー樋２００を設けることにより、軒樋１０の水位が上昇したときに、オーバーフロー樋２００から排出させることができる。よって、軒樋１０のオーバーフローを防止できる。また、オーバーフロー樋２００からの排出によって軒樋１０の機能低下を住人に報知できる。オーバーフロー樋２００を、上部縦管２１０と下部縦管２２０で構成することにより、オーバーフロー樋２００を、施工し易くできる。また、上部縦管２１０と下部縦管２２０との水平方向および軸方向（上下方向）の取付位置のズレを容易に許容でき、しかも、水漏れを生じ難くできる。
そして、この実施例のオーバーフロー樋用ソケット２５１では、下部縦管２２０（の管本体２２１）を、上部縦管２１０（の小径管部２１１ｂ）を差込み可能なソケット本体２５２としても良い。これによって、下部縦管２２０の形状を工夫するだけで、オーバーフロー樋２００に新たな機能を追加することができる。または、オーバーフロー樋２００を改良し易い構造にできる。よって、オーバーフロー樋２００全体を設計変更することなく容易かつ安価に新たな機能を追加できると共に、下部縦管２２０を交換することで既設のオーバーフロー樋２００に対しても後から新たな機能を追加することが可能になる。
【００５２】
（２）この実施例のオーバーフロー樋用ソケット２５１では、下部縦管２２０は、下部（フランジ２２２など）に角部２５３，２５４を有しても良い。これにより、下部縦管２２０を軒天井４０に取付けるときに、下部縦管２２０が無用に回転するのを角部２５３，２５４で規制することが可能になる。そのため、下部縦管２２０を軒天井４０に取付け易くできる。
より具体的には、例えば、下部縦管２２０の下部にドレン部材２３０を螺着して固定するような場合に、下部縦管２２０の下部の角部２５３，２５４が外部の部材（例えば、軒天井４０の立上部４０ａや軒天受材４１やブラケット４１ｂなど）に当たったり引っかかったりして、下部縦管２２０の回転が規制されることで（図８Ｂ）、下部縦管２２０とドレン部材２３０とが共回りするのを防止できる。そのため、共回りによる締め込み不足を解消することができる。
【００５３】
（３）この実施例のオーバーフロー樋用ソケット２５１では、下部縦管２２０は、（管本体２２１の）上部に切欠部２５６を有しても良い。これにより、万一、下部縦管２２０から雨水があふれるような場合に、雨水が最初にあふれる位置を切欠部２５６によって予め設定することができる。これにより、切欠部２５６を軒先側に設けるようにすれば、雨水を軒先側から意図的にあふれさせることができる。よって、雨水が不用意に軒元側からあふれるような不具合が起こり難くなるので、雨水を軒元側や居室側へ廻り込み難くすることができる。
【００５４】
（４）この実施例のオーバーフロー樋用ソケット２５１では、下部縦管２２０は、（管本体２２１の）内部に仕切部２５８を有しても良い。これにより、下部縦管２２０の内部で雨水に乱流が発生することが仕切部２５８によって防止されるため、（排水口２３４からの）排水をスムーズに行わせることができる。
【００５５】
（５）この実施例の軒樋構造Ａは、建物Ｈの軒先に沿って取付けられ、縦樋１００を介して排水を行う軒樋１０と、軒樋１０の下方位置で軒先の裏側の軒天井４０と、を備えており、軒樋１０の底面を形成する底板１１よりも上方位置に落し口２１３（開口２１３ａ）を有し、軒天井４０の下面に排水口２３４を有するオーバーフロー樋２００が設けられている。
従って、軒樋１０の水位が上昇した場合、オーバーフロー樋２００を介し、軒天井４０部分の排水口２３４から排水し、軒樋１０からのオーバーフローが生じるのを抑制し、軒天井４０の浸水を抑制できる。
そして、オーバーフロー樋２００は、軒樋１０と軒天井４０との間に設ければ良いため、縦樋１００を多く設けた場合と比較して、安価に形成できると共に、外観品質も向上できる。
加えて、ゴミ詰まりなどにより縦樋１００の排水性能が低下したことを、軒天井４０の部分に配置された排水口２３４からの排水により、オーバーフローが生じる前に住人に報せることができる。
特に、本実施例では、排水口２３４として側方開口２３４ａと下方開口２３４ｂとを設けるようにしている。これにより、側方開口２３４ａからの排水を水平方向に飛散させることで、排水口２３４からの排水が生じたことを住人に対してより確実に報せることができる。一方、下方開口２３４ｂを設けたことにより、側方開口２３４ａからの水平方向への過剰な飛散を抑えて、隣地などへ排水が飛散するのを抑えることができる。
【００５６】
（６）この実施例の軒樋構造Ａでは、オーバーフロー樋２００は、軒樋１０に取付けられた上部縦管２１０と、軒天井４０に取付けられた下部縦管２２０と、を備え、下部縦管２２０の上端部は、上部縦管２１０の下端部よりも大径に形成され、上部縦管２１０の下端部が、下部縦管２２０の上端部に挿入されている。
従って、軒樋１０に取付けた上部縦管２１０と、軒天井４０に取付けた下部縦管２２０とで、水平方向および軸方向の取付位置がズレた場合でも、両者の半径差や挿入代の分だけズレを許容できるので、施工性に優れ、かつ、水漏れも生じ難い。
なお、下部縦管２２０の上端部と上部縦管２１０の下端部との間の隙間を覆うカバーなどを設けるなどによって、更に、水漏れ抑制性能を高めても良い。
【００５７】
（７）この実施例の軒樋構造Ａでは、下部縦管２２０は排水口２３４を有するドレン部材２３０に接続されて軒天井４０に固定されている。
従って、下部縦管２２０に直接排水口を設けて、これを軒天井４０に開口する場合と比較して、排水口の位置調整、即ち、下部縦管２２０の取付位置の調整が不要であり、施工性に優れると共に、外観品質に優れる。
【００５８】
（８）この実施例の軒樋構造Ａでは、オーバーフロー樋２００は、軒樋１０の水上位置に設けられている。
従って、軒樋１０に枯葉などのゴミ６０が進入した場合に、ゴミ６０は、水下に流れ易く、オーバーフロー樋２００の周辺に溜まり難いので、オーバーフロー樋２００の排水性能を確保できる。
【００５９】
（９）この実施例の軒樋構造Ａでは、オーバーフロー樋２００の上部に、落し口２１３の上方を覆い、かつ、オーバーフロー樋２００との間に、落し口２１３への流路となる隙間２４４を形成する蓋部材２４０が設けられている。
従って、蓋部材２４０により、オーバーフロー樋２００の落し口２１３に枯葉などのゴミ６０が直接進入するのを防止し、オーバーフロー樋２００の排水能力を確保できる。加えて、隙間２４４の存在により、隙間２４４よりも大きなゴミ６０がオーバーフロー樋２００へ進入してオーバーフロー樋２００が詰まるのを、より確実に防止できる。
なお、隙間２４４よりも小さなゴミ６０は、オーバーフロー樋２００によって軒樋１０の外部へ排出することができる。
加えて、実施例では、隙間２４４の寸法を１ｃｍ以下にして、開口２１３ａを、上下方向および周方向に隙間２４４よりも大きな寸法にしているため、特に、枯葉が開口２１３ａを塞ぐのを防止できる。なお、大きな枯葉などのゴミ６０の軒樋１０への進入は、パラペットカバー５０によって防ぐようにしているため、縦樋１００のゴミ詰まりも抑制できる。
【００６０】
（１０）この実施例の建物Ｈは、上記した軒樋構造Ａを備えるため、上記（５）〜（９）に記載した効果のいずれかあるいは全てを奏する。また、上記したオーバーフロー樋用ソケット２５１を備えるため、上記（１）〜（４）に記載した効果のいずれかあるいは全てを奏する。
【００６１】
以上、この発明の実施の形態を図面により詳述してきたが、この発明は実施の形態に限定されるものではなく、この発明の要旨を逸脱しない範囲の設計の変更等があってもこの発明に含まれる。
例えば、実施の形態では、軒樋構造Ａをユニット建物である建物Ｈに設けた例を示したが、ユニット建物以外の建物に設けることもできる。
また、実施の形態では、建物Ｈとして、集合住宅を例として示したが、戸建ての住宅に適用しても良い。よって、実施の形態では、オーバーフロー樋２００をエントランススペースＥの近傍に配置した例を示したが、これに限定されない。特に、建物Ｈが戸建住宅の場合、エントランススペースＥに限定されない。この場合、外壁材２２の位置よりは、ベランダや窓の近傍など、オーバーフロー樋２００による排水が生じた場合に、住人が気付きやすい位置が良い。
【００６２】
また、実施の形態では、オーバーフロー樋２００は、上部縦管２１０と下部縦管２２０とに分割したものを示したが、この部分を一体の管とすることも構造的には可能である。
また、実施の形態では、排水口２３４は、ドレン部材２３０に設けた例を示したが、下部縦管２２０の管本体２２１などに設けても良い。また、実施の形態では、排水口２３４は、側方開口２３４ａと下方開口２３４ｂとを設けた例を示したが、いずれか一方のみとしても良い。
また、実施の形態では、上部縦管２１０の軒樋１０の底板１１への固定ならびに下部縦管２２０およびドレン部材２３０の軒天井４０への固定を、雄ネジと雌ネジとの噛み合いにより行う例を示したが、これらの固定構造は、これに限定されない。
例えば、接着や締結部材を用いた固定としても良い。
【符号の説明】
【００６３】
１０      ：軒樋
１１      ：底板（底面）
４０      ：軒天井
６０      ：ゴミ
１００    ：縦樋
２００    ：オーバーフロー樋
２１０    ：上部縦管
２２０    ：下部縦管（オーバーフロー樋用ソケット）
２２１    ：管本体（ソケット本体）
２３０    ：ドレン部材
２３４    ：排水口
２４０    ：蓋部材
２４４    ：隙間
２５１    ：オーバーフロー樋用ソケット
２５２    ：ソケット本体
２５３    ：角部
２５４    ：角部
２５６    ：切欠部
２５８    ：仕切部
Ａ        ：軒樋構造
Ｈ        ：建物
【図１】
2020045679.tif 000003
【図２】
2020045679.tif 000004
【図３】
2020045679.tif 000005
【図４】
2020045679.tif 000006
【図５】
2020045679.tif 000007
【図６Ａ】
2020045679.tif 000008
【図６Ｂ】
2020045679.tif 000009
【図７Ａ】
2020045679.tif 000010
【図７Ｂ】
2020045679.tif 000011
【図８Ａ】
2020045679.tif 000012
【図８Ｂ】
2020045679.tif 000013
【図８Ｃ】
2020045679.tif 000014
【図８Ｄ】
2020045679.tif 000015